(57)【要約】【解決手段】本出願の実施形態は、商品情報を公開するための方法と、情報をプッシュするためのデバイスと、商品情報を公開するためのコンピュータプログラム製品とに関する。商品情報を公開するための方法が提供される。方法は、ユーザ端末から、上記商品情報のページ情報を含む商品情報公開リクエストを受信することと、上記ページ情報に基づいて、上記ページ情報に対応する商品のための画像及び第１リンクを決定することと、上記商品のための上記画像と上記第１リンクとを関係付けることと、上記商品の第２リンクを上記商品の上記第１リンクに関係付けることと、上記商品のための上記決定された画像及び上記第１リンクを公開することと、を含む。【選択図】図３
2016507840.tif 000002
【特許請求の範囲】
【請求項１】
商品情報を公開するための方法であって、
ユーザ端末から、前記商品情報のページ情報を含む商品情報公開リクエストを受信することと、
前記ページ情報に基づいて、前記ページ情報に対応する商品のための画像及び第１リンクを決定することと、
前記商品のための前記画像と前記第１リンクとを関係付けることと、
前記商品の第２リンクを前記商品の前記第１リンクに関係付けることであって、前記商品の前記第２リンクの関係付けは、各ユーザ端末に対応するユーザの個人情報に基づく、ことと、
前記商品のための前記決定された画像及び前記第１リンクを公開することと、
を備える方法。
【請求項２】
請求項１に記載の商品情報を公開するための方法であって、更に、
前記商品の前記決定された第１リンクから又は前記商品の前記画像のユニバーサル・リソース・ロケータ（ＵＲＬ）から、商品の識別子（ＩＤ）情報を抽出することと、
前記抽出されたＩＤ情報に基づいて、第２のサーバから前記商品の前記商品情報を取得することと、
を備える方法。
【請求項３】
請求項１に記載の商品情報を公開するための方法であって、更に、
画像を検索することによって、第２のサーバのなかで前記商品の前記画像に一致する画像を決定することと、
各決定された画像に対応する商品情報を、前記商品の前記商品情報であると見なすことと、
を備える方法。
【請求項４】
請求項２に記載の商品情報を公開するための方法であって、更に、
前記商品の前記決定された商品情報を、前記商品の前記画像及び前記第２リンクに関係付けることと、
前記商品情報及び前記第２リンクを公開することと、
を備える方法。
【請求項５】
商品情報を閲覧するための方法であって、
第１のユーザ端末によって公開された画像に対して第２のユーザ端末によって発行された閲覧リクエストを受信することと、
前記閲覧リクエストに対応する閲覧対象画像及び前記閲覧対象画像のための第１リンクを決定することと、
前記第１リンクに基づいて、前記閲覧対象画像に対応する商品情報を決定することと、
前記決定された商品情報を前記第２のユーザ端末に送り返すことと、
を備える方法。
【請求項６】
請求項６に記載の商品情報を閲覧するための方法であって、更に、
規定の期間における、前記第１のユーザ端末によって公開された画像に関する閲覧情報をカウントすることと、
前記カウントされた閲覧情報に基づいて、前記第１のユーザ端末によって公開された前記決定された画像の優先レベルを決定することと、
を備える方法。
【請求項７】
商品情報を公開するためのデバイスであって、
少なくとも１つのプロセッサと、
前記少なくとも１つのプロセッサに結合され、前記少なくとも１つのプロセッサに命令を提供するように構成されたメモリと、
を備え、
前記少なくとも１つのプロセッサは、
ユーザ端末から、前記商品情報のページ情報を含む商品情報公開リクエストを受信することと、
前記ページ情報に基づいて、前記ページ情報に対応する商品のための画像及び第１リンクを決定することと、
前記商品のための前記画像と前記第１リンクとを関係付けることと、
前記商品の第２リンクを前記商品の前記第１リンクに関係付けることであって、前記商品の前記第２リンクの関係付けは、各ユーザ端末に対応するユーザの個人情報に基づく、ことと、
前記商品のための前記決定された画像及び前記第１リンクを公開することと、
を行うように構成される、デバイス。
【請求項８】
請求項７に記載の商品情報を公開するためのデバイスであって、
前記少なくとも１つのプロセッサは、更に、
前記商品の前記決定された第１リンクから又は前記商品の前記画像のユニバーサル・リソース・ロケータ（ＵＲＬ）から、商品の識別子（ＩＤ）情報を抽出することと、
前記抽出されたＩＤ情報に基づいて、第２のサーバから前記商品の前記商品情報を取得することと、
を行うように構成される、デバイス。
【請求項９】
請求項７に記載の商品情報を公開するためのデバイスであって、
前記少なくとも１つのプロセッサは、更に、
画像を検索することによって、第２のサーバのなかで前記商品の前記画像に一致する画像を決定することと、
各決定された画像に対応する商品情報を、前記商品の前記商品情報であると見なすことと、
を行うように構成される、デバイス。
【請求項１０】
請求項８に記載の商品情報を公開するためのデバイスであって、
前記少なくとも１つのプロセッサは、更に、
前記商品の前記決定された商品情報を、前記商品の前記画像及び前記第２リンクに関係付けることと、
前記商品情報及び前記第２リンクを公開することと、
を行うように構成される、デバイス。
【請求項１１】
商品情報を閲覧するためのデバイスであって、
少なくとも１つのプロセッサと、
前記少なくとも１つのプロセッサに結合され、前記少なくとも１つのプロセッサに命令を提供するように構成されたメモリと、
を備え、
前記少なくとも１つのプロセッサは、
第１のユーザ端末によって公開された画像に対して第２のユーザ端末によって発行された閲覧リクエストを受信することと、
前記閲覧リクエストに対応する閲覧対象画像及び前記閲覧対象画像のための第１リンクを決定することと、
前記第１リンクに基づいて、前記閲覧対象画像に対応する商品情報を決定することと、
前記決定された商品情報を、前記第２のユーザ端末に送り返すことと、
を行うように構成される、デバイス。
【請求項１２】
請求項１１に記載の商品情報を閲覧するためのデバイスであって、
前記少なくとも１つのプロセッサは、更に、
規定の期間における、前記第１のユーザ端末によって公開された画像に関する閲覧情報をカウントすることと、
前記カウントされた閲覧情報に基づいて、前記第１のユーザ端末によって公開された前記決定された画像の優先レベルを決定することと、
を行うように構成される、デバイス。
【発明の詳細な説明】
【技術分野】
【０００１】
［関連出願の相互参照］
本出願は、２０１３年１月３０日に出願された、発明の名称を「Ａ  ＭＥＴＨＯＤ，ＤＥＶＩＣＥ  ＡＮＤ  ＳＹＳＴＥＭ  ＦＯＲ  ＰＵＢＬＩＳＨＩＮＧ  ＡＮＤ  ＢＲＯＷＳＩＮＧ  ＭＥＲＣＨＡＮＤＩＳＥ  ＩＮＦＯＲＭＡＴＩＯＮ（商品情報を公開及び閲覧するための方法、デバイス、及びシステム）」とする中国特許出願第２０１３１００３５０３２．０号の優先権を主張する。該出願は、あらゆる目的のために、参照によって本明細書に組み込まれる。
【０００２】
本出願は、商品情報を公開するための方法、デバイス、及びシステムに関する。
【背景技術】
【０００３】
ソーシャルネットワーキングサービス（ＳＮＳ）及び電子商取引技術の発展が続くとともに、様々なソーシャルネットワーク電子商取引ウェブサイトが生まれてきた。その結果、ネットワーク販促ユーザの数は、増え続けている。「ネットワーク販促ユーザ」は、様々な売り手ユーザによって電子商取引ウェブサイト上に表示される商品に関する商品情報を共有又は販促するために、販促リンクを使用するユーザを言う。ネットワーク販促ユーザの友人及びフォロワ、並びにその他の買い手ユーザは、ネットワーク販促ユーザが提供する販促リンクを使用することによって、売り手ユーザの商品に関する対応する共有又は販促詳細情報を取得して、販促リンクに対応する売り手ユーザの商品を知る又は購入することができる。
【０００４】
現在では、ネットワーク販促ユーザは、販促リンクを通じて商品情報を販促又は共有する際に、多くの場合、販促したいと考えている商品のために、画像並びに商品名及び詳細な記述的商品情報などの商品情報を手動で様々な電子商取引ウェブサイトから取得する。通例、ネットワーク販促ユーザは、取得された商品画像及び該商品画像に対応する商品情報を手動で記録して、それらを売り手ユーザが閲覧したり見たりすることができるその他の電子商取引ウェブサイト又はネットワークプラットフォームに公開する。
【０００５】
しかしながら、電子商取引ウェブサイトの数及び電子商取引ウェブサイト上の商品の量が増え続けるにつれて、商品画像及び該画像に対応する商品情報を取得するためにネットワーク販促ユーザが踏む手順も増してきた。したがって、ネットワーク販促ユーザの取り組みは、時間及びエネルギを消耗する。これらの取り組みは、商品画像及び商品情報を収集したり公開したりするための効率の大幅な低下を招くとともに、ネットワーク販促ユーザに大きな不便をかける。
【図面の簡単な説明】
【０００６】
以下の詳細な説明及び添付の図面において、本発明の様々な実施形態が開示される。
【０００７】
【図１】商品情報を公開するためのプロセスの一実施形態を示したフローチャートである。
【０００８】
【図２】商品情報を閲覧するためのプロセスの一実施形態を示したフローチャートである。
【０００９】
【図３】商品情報を公開するためのデバイスの一実施形態を示した構造図である。
【００１０】
【図４】商品情報を閲覧するためのデバイスの一実施形態を示した構造図である。
【００１１】
【図５】商品情報を公開及び閲覧するためのシステムの一実施形態を示した構造図である。
【発明を実施するための形態】
【００１２】
本発明は、プロセス、装置、システム、合成物、コンピュータ読み取り可能ストレージ媒体に実装されたコンピュータプログラム製品、並びに／又は結合先のメモリに記憶された命令及び／若しくは結合先のメモリによって提供される命令を実行するように構成されたプロセッサなどのプロセッサのような、数々の形態で実現することができる。本明細書では、これらの実現形態、又は本発明がとりえるその他のあらゆる形態を、技術と称することができる。総じて、開示されるプロセスの各ステップの順番は、本発明の範囲内で変更可能である。別途明記されない限り、タスクを実施するように構成されるものとして説明されるプロセッサ又はメモリなどのコンポーネントは、所定時にタスクを実施するように一時的に構成された汎用コンポーネントとして、又はタスクを実施するように製造された特殊コンポーネントとして実装可能である。本明細書で使用される「プロセッサ」という用語は、コンピュータプログラム命令などのデータを処理するように構成された１つ以上のデバイス、回路、並びに／又は処理コアを言う。
【００１３】
本発明の原理を例示した添付の図面とともに、以下で、本発明の１つ以上の実施形態の詳細な説明が提供される。本発明は、このような実施形態との関わりのもとで説明されるが、いずれの実施形態にも限定されない。本発明の範囲は、特許請求の範囲によってのみ限定され、本発明は、数々の代替形態、変更形態、及び均等物を包含している。以下の説明では、本発明の完全な理解を与えるために、数々の具体的詳細が明記されている。これらの詳細は、例示を目的として提供されるものであり、本発明は、これらの詳細の一部又は全部を伴わずとも、特許請求の範囲にしたがって実施可能である。明瞭を期するために、本発明に関連した技術分野で知られる技工物は、本発明が不必要に不明瞭にされないように、詳細な説明を省略されている。
【００１４】
商品情報の公開及び閲覧が開示される。幾つかの実施形態では、商品情報の公開は、ユーザ端末から、商品情報のページ情報を含む商品情報公開リクエストを受信することと、商品情報公開リクエストに含まれるページ情報に基づいて、ページ情報に対応する商品のための画像及び第１リンクを決定することと、決定された画像と第１リンクとを関係付けることと、関係付けられた画像及び第１リンクを公開することとを含む。商品情報の閲覧は、第１のユーザ端末によって公開された画像に対して第２のユーザ端末によって発行された閲覧リクエストを受信することと、閲覧リクエストに対応する閲覧対象画像及び該閲覧対象画像のための第１リンクを決定することと、第１リンクに基づいて、閲覧対象画像に対応する商品情報を決定することと、決定された商品情報を、対応する第２のユーザ端末に送り返すこととを含む。本出願は、商品情報を公開するための操作を軽減し、商品画像及び商品情報を収集するための効率を向上させる。
【００１５】
図１は、商品情報を公開するためのプロセスの一実施形態を示したフローチャートである。幾つかの実施形態では、プロセス１００は、図５のサーバ５１０によって実行に移され、以下を含む。
【００１６】
１１０では、第１のサーバが、商品情報のページ情報を含む商品画像公開リクエストをユーザ端末から受信する。
【００１７】
幾つかの実施形態では、商品情報のページ情報は、商品画像（例えば、本のビットマップ画像）と、商品第１リンク（例えば、http://item.A.com/item.htm?id=123456又はhttp://item.taobao.com/item.htm?id=36895964308）とを含む。商品第１リンクは、商品のための元リンクに対応している。例えば、元リンクは、商品に対応する元ユニフォーム／ユニバーサル・リソース・ロケータ（ＵＲＬ）、すなわちウェブページアドレスである。更に、商品情報のページ情報は、例えば商品画像のためのＵＲＬなどの情報を更に含む。幾つかの実施形態では、第１リンク及び元リンクは、ともに、収集されたページのＵＲＬを言う。要するに、この場合、第１リンクと元リンクは、同じリンクである。
【００１８】
幾つかの実施形態では、ユーザ端末が、様々な商品があるウェブページにアクセスするためにブラウザを使用しているときに、そのブラウザにインストールされたブラウザプラグインによって、ユーザ端末によって閲覧されているウェブページから、ウェブページ情報に相当する商品情報のページ情報が収集される。
【００１９】
更に、幾つかの実施形態では、ユーザ端末のブラウザのブックマークに、実行可能なJavaScript（登録商標）スクリプトが予め保存されている。閲覧されているウェブページが、商品画像などの公開されるべきページ情報を含むと判定されると、ユーザ端末は、ブラウザにインストールされたブラウザプラグインをトリガする。この時点で、ブラウザブックマークに記憶されているJavaScriptスクリプトが実行され、したがって、該JavaScriptスクリプトは、ユーザ端末によって閲覧されているウェブページからページ情報を捕獲する。
【００２０】
更に、幾つかの実施形態では、ユーザ端末が、商品画像などの商品情報のページ情報を、ブラウザプラグインを使用して様々なウェブサイトから収集した後、該収集された商品情報のページ情報は、商品情報公開リクエストを第１のサーバに送信することによって、第１のサーバに送信される。更に、幾つかの実施形態では、第１のサーバは、ユーザ端末によって収集された商品情報のページ情報を受信した後、該受信された商品情報のページ情報を記憶する。
【００２１】
１２０において、第１のサーバは、商品情報公開リクエストに含まれるページ情報に基づいて、ページ情報に対応する商品画像及び第１リンクを決定する。一例として、第１リンク及び元リンクは、ともに、収集されたページのＵＲＬを言う。要するに、第１リンクと元リンクは、同じリンクである。
【００２２】
幾つかの実施形態では、第１のサーバは、ページ情報に対応する商品画像及び第１リンクを決定した後、該決定された商品の第１リンクから又は商品画像のためのＵＲＬから、商品のアイデンティティ、すなわち識別子（ＩＤ）情報を抽出し、該抽出されたＩＤ情報に基づいて、第２のサーバから商品の商品情報を取得する。幾つかの実施形態では、第２のサーバは、商品の商品情報がある元サーバである。
【００２３】
例えば、商品のＩＤ情報は、数字、文字、又はそれらの組み合わせなどのテキスト情報である。幾つかの実施形態では、商品のＩＤ情報は、商品に対応する商品情報を一意に識別する。幾つかの実施形態では、商品のＩＤ情報は、商品の第１リンクから又は商品画像のＵＲＬから抽出される。
【００２４】
第１のサーバは、規定のＵＲＬルール（例えば、規定のＵＲＬルールは、ＵＲＬ内におけるどのフィールドが、商品のＩＤ情報に対応するフィールドであるかを定めている）に基づいて、商品の第１リンク又は商品画像のＵＲＬが商品のＩＤ情報を含むかどうかを判定する。商品の第１リンク又は商品画像のＵＲＬが、商品のＩＤ情報を含む場合は、該商品のＩＤ情報は、規定のＵＲＬルールにしたがって、商品の第１リンク又は商品画像のＵＲＬから抽出される。
【００２５】
例えば、もし、商品画像のＵＲＬが、「http://item.A.com/item.htm?id=123456」に対応するならば、第１のサーバは、規定のＵＲＬルールにしたがって、商品画像のＵＲＬが、商品のためのＩＤ情報を含むかどうかを判定する（規定のＵＲＬルールを、次のように想定する。すなわち、商品画像のＵＲＬが、「ID」又は「id」フィールドを含む場合は、その「ID」又は「id」フィールドが、商品画像のＵＲＬが商品のためのＩＤ情報を含むことを示している）。商品の第１リンク又は商品画像のためのＵＲＬが、商品のＩＤ情報を含む場合は、第１のサーバは、規定のＵＲＬルールにしたがって、画像に対応するＵＲＬから商品に対応するＩＤ情報を抽出する。例えば、第１のサーバは、上記のＵＲＬから「123456」を抽出し、該抽出された「123456」を、商品のためのＩＤ情報であると見なす。
【００２６】
幾つかの実施形態では、規定のＵＲＬルールは、実際の条件にしたがって設定される。一例では、リンク「http://item.taobao.com/item.htm?id=36380801916」のなかで、idの後の値が得られる。別の例では、リンク「http://item.jd.com/897033.html」のなかで、別の形でidが得られる。
【００２７】
更に、幾つかの実施形態では、第１のサーバは、抽出された商品のためのＩＤ情報に基づいて、第２のサーバから商品の商品情報を抽出する。幾つかの実施形態では、第１のサーバは、商品のためのＩＤ情報を含む商品情報取得リクエストを第２のサーバに送信し、第２のサーバによって送り返された、ＩＤ情報に関係付けられた商品情報を受信し、該受信された商品情報を、商品の商品情報であると見なす。
【００２８】
幾つかの実施形態では、第１のサーバが、受信された商品情報取得リクエストに基づいて、該商品情報取得リクエストに含まれるＩＤ情報に関係付けられた商品情報を取得した後、第２のサーバは、自前の商品情報クエリインターフェースを通じて、ＩＤ情報に関係付けられた取得された商品情報を第１のサーバに送り返す。要するに、第１のサーバは、第２のサーバによって提供される商品情報クエリインターフェースを通じて、商品のためのＩＤ情報に関係付けられた商品情報を取得する。自前の商品情報クエリインターフェースの一例は、アプリケーション・プログラム・インターフェース（ＡＰＩ）である。taobaoなどのウェブサイトが、製品を探すためのＡＰＩを提供している。ＡＰＩの一例は、taobaoのオープンＡＰＩプラットフォーム（http://open.taobao.com/index.htm）である。
【００２９】
引き続きＵＲＬ「http://item.A.com/item.htm?id=123456」に対応する商品画像を例として使用すると、第１のサーバは、第２のサーバによって提供される商品情報クエリインターフェースに基づいて、商品のためのＩＤ情報「123456」に関係付けられた商品情報を第２のサーバから取得し、該取得された商品情報を、商品のための商品情報であると見なす。
【００３０】
更に、幾つかの実施形態では、第１のサーバは、ページ情報に基づいて、該ページ情報に対応する商品画像及び第１リンクを決定した後、第２のサーバのなかで全ての画像を検索することによって、第２のサーバのなかで商品の画像に一致する全ての画像を決定し、該決定された画像に対応する商品情報を、商品の商品情報であると見なす。
【００３１】
更に、幾つかの実施形態では、商品の商品情報を第２のサーバから取得した後、第１のサーバは、取得された商品の商品情報の保存も行う。
【００３２】
１３０において、第１のサーバは、決定された商品の画像を商品の第１リンクに関係付ける。要するに、第１のサーバは、ユーザ端末の製品ページと、第１リンクとを受信し、これらの製品ページ及び第１リンクを、関係付けられたものとして一緒に記憶する。
【００３３】
１４０において、第１のサーバは、決定された画像と、第１リンクとを公開する。要するに、ユーザ端末は、製品ページ及び第１リンクを取得し、第１のサーバは、それらの製品ページ及び第１リンクを記憶し、次いで、その内容を出力する。これは、新しい使用又は用途であってよい。例えば、公開は、ウェブページ上又は携帯電話上などであってよい。
【００３４】
幾つかの実施形態では、第１のサーバが、商品画像及び商品第１リンクを関係付けて公開するときに、その公開時に使用される第２リンク（すなわち、商品のための販促リンク）が、商品のために設定される。この商品の第２リンクは、商品の第１リンクに関係付けられる。幾つかの実施形態では、第１のサーバは、第１リンクを第２リンクに変換するためのルールを指定する。例えば、ルールは、新しいリンク（第２リンク）を生成するために第１リンクにパラメータ及び／又は値を追加することを含む。続いて、ルールにしたがって、第１リンクは、第２リンクに変換される。要するに、その目標は、販売が成されたときに販促ユーザが対価を得られるように、第１リンクのもとを辿れることにある。第１リンクがhttp://item.taobao.com/item.htm?id=36895964308であるときの第２リンクの一例は、http://item.taobao.com/item.htm?id=36895964308&pid=aHR0cDovL2l0ZW0uである。要するに、商品の第１リンクに対応するページは、商品の第２リンクを通じてアクセス可能である。
【００３５】
一例として、第２のリンク（すなわち、商品のための販促リンク）が商品のために設定されるときに、各ユーザ端末に対応するネットワーク販促ユーザの個人情報が使用される。一例として、taobaoの場合、各ネットワーク販促ユーザは、ユーザの個人情報に関係付けられた一意の販促ユーザid（pid）を有する。販促されている製品が、ユーザと同じpidを有するときは、第１のサーバは、誰がその販促を成したかを見つけ出すことができる。例えば、pidは、http://item.taobao.com/item.htm?id=36895964308&pid=aHR0cDovL2l0ZW0uのなかの販促ユーザのidである。要するに、商品のために設定される販促リンクは、各ネットワーク販促ユーザに固有である。
【００３６】
更に、幾つかの実施形態では、第１のサーバが、収集された商品画像（又は商品画像及び商品の商品情報）を公開した後に、買い手ユーザが、公開された商品画像（又は商品画像及び商品の商品情報）を閲覧して見る。また、幾つかの実施形態では、商品画像（又は商品画像及び商品の商品情報）が公開されている間に、商品のための販促リンクが使用されたので、買い手ユーザが、表示された商品のための販促リンクをクリックすることによって、商品の元ページにリンクして商品の購入に成功した後は、その商品のための販促リンクに対応するネットワーク販促ユーザが、売り手ユーザから適切な手数料を得る。
【００３７】
更に、幾つかの実施形態では、第１のサーバは、収集された商品画像（又は商品画像及び／又は商品の商品情報）を公開した後、商品画像の訪問頻度又は訪問に続いて取引が成立する頻度にしたがって、商品画像のための公開優先レベルを即座に調整するために、買い手ユーザによって発行された、商品画像へのアクセスに関係付けられた情報など（例えば、訪問の頻度又は訪問に続いて成立した取引に関する情報）をカウントする。例えば、買い手ユーザが、商品画像を閲覧しつつ、より迅速に商品画像を探すことを可能にするために、訪問の頻度又は訪問後の締結頻度が高い商品画像であるほど、高い公開優先レベルが設定される。このようにして、商品画像閲覧効率が更に向上される。
【００３８】
商品情報を公開するためのプロセスが提供される。ウェブページに基づいて、プロセスは、様々なウェブサイトから速やかに商品画像を収集し、元サーバにおいて、様々な商品画像に対応する様々な商品の商品情報を抽出し、商品画像に対応するＵＲＬを、ネットワーク販促ユーザの個人情報に関係付けられた商品販促リンクに自動的に変換する。したがって、プロセスは、ネットワーク販促ユーザが、変換された商品販促リンクを速やかに使用して販促を行うことを可能にする。こうして、商品画像及び商品情報が手動で収集されて公開される場合に発生する過剰な操作及び効率の低さが抑えられる代わりに、少ない操作及び高い効率で、商品画像及び商品情報が収集されて公開される。また、買い手ユーザは、サーバ又はその他のネットワーク機器によって集められて公開された商品画像及び／又は商品情報を使用して、商品情報を閲覧して見ることができる。したがって、プロセスは、商品情報の閲覧効率を高め、ユーザの商品情報閲覧体験を向上させる。
【００３９】
商品情報を公開するための上記プロセスに基づいて、商品情報を閲覧するためのプロセスが提供される。図２は、商品情報を閲覧するためのプロセスの一実施形態を示したフローチャートである。幾つかの実施形態では、プロセス２００は、図５のサーバ５２０によって実行に移され、以下を含む。
【００４０】
２１０では、第１のサーバが、第１のユーザ端末によって公開された画像に対して第２のユーザ端末によって発行された閲覧リクエストを受信する。
【００４１】
幾つかの実施形態では、閲覧リクエストは、閲覧対象画像に対応する第２リンク及びその他の商品情報を含む。その他の商品情報の例として、製品名や製品価格などが挙げられる。
【００４２】
更に、幾つかの実施形態では、第２のユーザ端末は、第１のサーバによって公開された画像のなかから閲覧対象画像を直接クリックすることによって、又は閲覧対象画像に対応する第２商品リンクをクリックすることによって、第１のユーザ端末によって公開された画像に対する閲覧リクエストを第１のサーバに送信する。
【００４３】
２２０において、第１のサーバは、閲覧リクエストに対応する閲覧対象画像及び該閲覧対象画像のための第１リンクを決定する。
【００４４】
幾つかの実施形態では、第２のユーザ端末から閲覧リクエストを受信した後、第１のサーバは、閲覧リクエスト（例えば、閲覧リクエストには商品第２リンクが含まれる）に基づいて、閲覧リクエストに対応する閲覧対象画像及び該閲覧対象画像のための第１リンクを決定する。幾つかの実施形態では、第１のサーバは、第１のユーザからの閲覧リクエスト及び対応する商品画像を記憶しているので、第２のユーザからの閲覧リクエストに対応する閲覧対象画像を決定することができる。
【００４５】
２３０において、第１のサーバは、第１リンクに基づいて、閲覧対象画像に対応する商品情報を決定する。
【００４６】
２４０において、第１のサーバは、決定された商品情報を、対応する第２のユーザ端末に送り返す。
【００４７】
幾つかの実施形態では、第１のサーバは、決定された第１リンクに基づいて、第１リンクに対応する閲覧対象画像がある元ページにリンクし、その元ページから、閲覧対象画像に対応する商品の商品情報を取得する。また、第１のサーバは、取得された商品情報を、対応する第２のユーザ端末に送り返す。
【００４８】
更に、幾つかの実施形態では、第１のサーバは、規定の期間における、第１のユーザ端末によって公開された画像に関係付けられた閲覧情報をカウントし、該カウントされた閲覧情報に基づいて、第１のユーザ端末によって公開された画像の優先レベルを決定する。
【００４９】
例えば、規定の期間にわたり、訪問頻度（閲覧頻度）に関係付けられた閲覧情報及び／又は第１のユーザ端末によって公開された画像に関係付けられたその他の同様な情報がカウントされる。したがって、公開された画像についての訪問頻度及び／又はその他の同様な情報にしたがって、画像の公開優先レベルを即座に調整することができる。例えば、第２のユーザ端末が、商品画像を閲覧しつつ、より迅速に画像を探すことを可能にするために、訪問の頻度が高い商品画像であるほど、高い公開優先レベルが設定される。このようにして、商品画像閲覧効率が向上される。
【００５０】
プロセス２００において、第１のサーバ又はその他のネットワーク機器は、ユーザ端末から受信された画像閲覧リクエストに基づいて、画像閲覧リクエストに対応する閲覧対象画像を決定し、該閲覧対象画像に対応する第１リンクを決定する。更に、第１リンクに基づいて、閲覧対象画像に対応する商品情報が決定され、該決定された商品情報は、対応するユーザ端末に送り返される。したがって、プロセスは、商品情報の閲覧効率を高め、ユーザの商品情報閲覧体験を向上させる。
【００５１】
図３は、商品情報を公開するためのデバイスの一実施形態を示した構造図である。幾つかの実施形態では、商品情報を公開するためのデバイスは、サーバ、ネットワークプラットフォーム、又はその他の同様な機器である。幾つかの実施形態では、デバイス３００は、図５のサーバ５１０に相当し、受信モジュール３１０と、決定モジュール３２０と、公開モジュール３３０とを含む。
【００５２】
受信モジュール３１０は、商品情報のページ情報を含む商品画像公開リクエストをユーザ端末から受信する。
【００５３】
幾つかの実施形態では、商品情報のページ情報は、ユーザ端末が、様々な商品があるウェブページにアクセスするためにブラウザを使用している間に、そのブラウザにインストールされたブラウザプラグインを使用して、ユーザ端末によって現時点で閲覧されているウェブページから収集される、ページ情報を含む。商品のための第１リンクは、商品の元リンクに対応している。要するに、第１リンクは、商品に対応する元ＵＲＬに対応している。更に、幾つかの実施形態では、商品情報のページ情報は、商品画像のＵＲＬ及び商品のその他の情報も含む。商品のその他の情報には、製品名や製品価格などがある。
【００５４】
決定モジュール３２０は、商品情報公開リクエストに含まれる商品情報のページ情報に基づいて、ページ情報に対応する商品画像及び第１リンクを決定する。
【００５５】
公開モジュール３３０は、決定された画像と第１リンクとを関係付けて、決定された画像及び関係付けられた第１リンクを公開する。
【００５６】
更に、幾つかの実施形態では、公開モジュール３３０は、公開時に使用される第２リンク（すなわち、商品のための販促リンク）を商品のために設定し、該商品のための第２リンクを商品の第１リンクに関係付ける。幾つかの実施形態では、商品のために第２リンクが設定されるときに、各ユーザ端末に対応するネットワーク販促ユーザの個人情報が使用される。要するに、商品のために設定される販促リンクは、各ネットワーク販促ユーザに固有である。
【００５７】
更に、幾つかの実施形態では、デバイス３００は、更に、第１の情報取得モジュール３４０を含む。
【００５８】
第１の情報取得モジュール３４０は、決定された商品第１リンク又は商品画像のＵＲＬから商品ＩＤ情報を抽出し、該抽出された商品ＩＤ情報に基づいて、第２のサーバから商品の商品情報を取得する。幾つかの実施形態では、商品ＩＤ情報は、数字、文字、又はそれらの組み合わせを含むテキスト情報である。幾つかの実施形態では、第１の情報取得モジュール３４０は、商品に対応する商品情報を一意に識別する。
【００５９】
幾つかの実施形態では、第１の情報取得モジュール３４０は、商品第１リンク又は商品画像のＵＲＬから、以下のやり方で商品ＩＤ情報を抽出する。
【００６０】
幾つかの実施形態では、第１の情報取得モジュール３４０は、規定のＵＲＬルール（例えば、規定のＵＲＬルールは、ＵＲＬ内におけるどのフィールドが、商品のＩＤ情報に対応するフィールドであるかを定めている）に基づいて、商品第１リンク又は商品画像のＵＲＬが、商品のＩＤ情報を含むかどうかを判定する。商品第１リンク又は商品画像のＵＲＬが、商品のＩＤ情報を含む場合は、第１の情報取得モジュール３４０は、規定のＵＲＬルールに基づいて、商品第１リンク又は商品画像のＵＲＬから商品のＩＤ情報を抽出する。幾つかの実施形態では、規定のＵＲＬルールは、実際の条件にしたがって設定される。
【００６１】
更に、幾つかの実施形態では、第１の情報取得モジュール３４０は、商品の商品情報を第２のサーバから取得するために、商品ＩＤ情報を含む商品情報取得リクエストを最２のサーバに送信し、第２のサーバによって送り返された、商品ＩＤ情報に関係付けられた商品情報を受信し、該受信された商品情報を、商品の商品情報であると見なす。
【００６２】
更に、幾つかの実施形態では、デバイス３００は、更に、第２の情報取得モジュール３５０を含む。
【００６３】
第２の情報取得モジュール３５０は、画像を検索して第２のサーバのなかで商品の画像に一致する画像を決定し、各決定された画像に対応する商品情報を、商品の商品情報であると見なす。
【００６４】
更に、幾つかの実施形態では、公開モジュール３３０は、決定された商品の商品情報を商品の画像及び第２リンクに関係付けて、該関係付けられた商品情報及び第２リンクを公開することも行う。
【００６５】
更に、幾つかの実施形態では、デバイス３００は、更に、ストレージモジュール３６０も含む。
【００６６】
ストレージモジュール３６０は、受信された商品情報のページ情報、取得された画像、商品情報、第１リンク、及び第２リンクを記憶する。
【００６７】
幾つかの実施形態では、第１の情報取得モジュール３４０及び第２の情報取得モジュール３５０は、Java（登録商標）言語を通じて実装される。
【００６８】
図４は、商品情報を閲覧するためのデバイスの一実施形態を示した構造図である。幾つかの実施形態では、デバイス４００は、サーバ、ネットワークプラットフォーム、又はその他の同様な機器である。幾つかの実施形態では、デバイス４００は、図５のサーバ５２０に相当し、受信モジュール４１０と、決定モジュール４２０と、送信モジュール４３０とを含む。
【００６９】
受信モジュール４１０は、第１のユーザ端末によって公開された画像に対して第２のユーザ端末によって発行された画像閲覧リクエストを受信する。幾つかの実施形態では、画像閲覧リクエストは、閲覧対象画像に対応する第２リンク及びその他の商品情報を含む。
【００７０】
決定モジュール４２０は、画像閲覧リクエストに対応する閲覧対象画像及び該閲覧対象画像のための第１リンクを決定し、該第１リンクに基づいて、閲覧対象画像に対応する商品情報を決定する。幾つかの実施形態では、決定モジュール４２０は、閲覧リクエストに含まれる第２リンクに基づいて、画像閲覧リクエストに対応する閲覧対象画像及び該閲覧対象画像の第１リンクを決定する。更に、幾つかの実施形態では、決定モジュール４２０は、決定された第１リンクに基づいて、第１リンクに対応する閲覧対象画像がある元ページにリンクし、該元ページから、閲覧対象画像に対応する商品の商品情報を取得する。
【００７１】
送信モジュール４３０は、決定された商品情報を、対応する第２のユーザ端末に送り返す。
【００７２】
更に、幾つかの実施形態では、デバイス４００は、更に、カウントモジュール４４０を含む。
【００７３】
カウントモジュール４４０は、規定の期間における、第１のユーザ端末によって公開された画像に関する閲覧情報をカウントし、該カウントされた閲覧情報に基づいて、第１のユーザ端末によって公開された画像の優先レベルを決定する。
【００７４】
幾つかの実施形態では、カウントモジュール４４０は、規定の期間にわたり、第１のユーザ端末によって公開された画像に関係付けられた訪問頻度（閲覧頻度）及びその他の同様な情報を計算し、画像についてのこれらの訪問頻度にしたがって、画像の公開優先レベルを調整する。例えば、第２のユーザ端末によって商品画像が閲覧されている間に、より迅速に画像が探されるようにして、画像閲覧効率を高めるために、訪問頻度が高い商品画像であるほど、高い公開優先レベルが設定される。
【００７５】
図５は、商品情報を公開及び閲覧するためのシステムの一実施形態を示した構造図である。幾つかの実施形態では、システム５００は、商品情報を公開するためのサーバ５１０と、商品情報を閲覧するためのサーバ５２０とを含む。
【００７６】
商品情報公開サーバ５１０は、ネットワーク５３０を通じて、商品情報のページ情報を含む商品情報公開リクエストを第１のユーザ端末５４０から受信し、ページ情報に基づいて、ページ情報に対応する商品のための画像及び第１リンクを決定し、該決定された画像と第１リンクとを関係付け、決定された画像及び関係付けられた第１リンクを公開する。
【００７７】
商品情報閲覧サーバ５２０は、第１のユーザ端末５４０によって公開された画像に対して第２のユーザ端末５５０によって発行された閲覧リクエストを受信し、閲覧リクエストに対応する閲覧対象画像及び該閲覧対象画像のための第１リンクを決定し、第１リンクに基づいて、閲覧対象画像に対応する商品情報を決定し、該決定された商品画像を、対応する第２のユーザ端末５５０に送り返す。
【００７８】
上述されたモジュールは、１つ以上の汎用プロセッサ上で実行されるソフトウェアコンポーネントとして、又はプログラマブルロジックデバイス及び／若しくは特定の機能を実施するように設計された特殊用途向け集積回路などのハードウェアとして、又はそれらの組み合わせとして実装することができる。一部の実施形態では、モジュールは、本発明の実施形態で説明される方法を（パソコン、サーバ、ネットワーク機器などの）計算装置に実行させるための幾つかの命令を含み尚且つ（光ディスク、フラッシュストレージデバイス、モバイルハードディスクなどの）不揮発性のストレージ媒体に記憶させることができるソフトウェア製品の形で具現化することができる。モジュールは、１つのデバイス上に実装されてよい、又は複数のデバイスに分散されてよい。モジュールの機能は、互いに統合されてよい、又は複数のサブモジュールに更に分けられてよい。
【００７９】
本明細書で開示された実施形態に照らして説明される方法又はアルゴリズム的ステップは、ハードウェア、プロセッサによって実行されるソフトウェアモジュール、又はこれら両方の組み合わせを使用して実現することができる。ソフトウェアモジュールは、ランダムアクセスメモリ（ＲＡＭ）、メモリ、読み出し専用メモリ（ＲＯＭ）、電気的にプログラム可能なＲＯＭ、電気的に消去可能でプログラム可能なＲＯＭ、レジスタ、ハードドライブ、着脱式ディスク、ＣＤ−ＲＯＭ、又は当該技術分野で知られるその他の任意の形態のストレージ媒体にインストールすることができる。
【００８０】
以上の実施形態は、理解を明瞭にする目的で幾らか詳細に説明されてきたが、本発明は、提供された詳細に限定されない。本発明を実現するには、多くの代替的手法がある。開示された実施形態は、例示的であり、限定的ではない。
【図１】
2016507840.tif 000003
【図２】
2016507840.tif 000004
【図３】
2016507840.tif 000005
【図４】
2016507840.tif 000006
【図５】
2016507840.tif 000007
【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
商品情報を公開するための方法であって、
ユーザ端末から、前記商品情報のページ情報を含む商品情報公開リクエストを受信することと、
前記ページ情報に基づいて、前記ページ情報に対応する商品のための画像及び第１リンクを決定することと、
前記商品のための前記画像と前記第１リンクとを関係付けることと、
前記商品の第２リンクを前記商品の前記第１リンクに関係付けることであって、前記商品の前記第２リンクの関係付けは、各ユーザ端末に対応するユーザの個人情報に基づく、ことと、
前記商品のための前記決定された画像及び前記第１リンクを公開することと、
を備える方法。
【請求項２】
請求項１に記載の商品情報を公開するための方法であって、更に、
前記商品の前記決定された第１リンクから又は前記商品の前記画像のユニバーサル・リソース・ロケータ（ＵＲＬ）から、商品の識別子（ＩＤ）情報を抽出することと、
前記抽出されたＩＤ情報に基づいて、第２のサーバから前記商品の前記商品情報を取得することと、
を備える方法。
【請求項３】
請求項１に記載の商品情報を公開するための方法であって、更に、
画像を検索することによって、第２のサーバのなかで前記商品の前記画像に一致する画像を決定することと、
各決定された画像に対応する商品情報を、前記商品の前記商品情報であると見なすことと、
を備える方法。
【請求項４】
請求項２に記載の商品情報を公開するための方法であって、更に、
前記商品の前記決定された商品情報を、前記商品の前記画像及び前記第２リンクに関係付けることと、
前記商品情報及び前記第２リンクを公開することと、
を備える方法。
【請求項５】
商品情報を閲覧するための方法であって、
第１のユーザ端末によって公開された画像に対して第２のユーザ端末によって発行された閲覧リクエストを受信することと、
前記閲覧リクエストに対応する閲覧対象画像及び前記閲覧対象画像のための第１リンクを決定することと、
前記第１リンクに基づいて、前記閲覧対象画像に対応する商品情報を決定することと、
前記決定された商品情報を前記第２のユーザ端末に送り返すことと、
を備える方法。
【請求項６】
請求項５に記載の商品情報を閲覧するための方法であって、更に、
規定の期間における、前記第１のユーザ端末によって公開された画像に関する閲覧情報をカウントすることと、
前記カウントされた閲覧情報に基づいて、前記第１のユーザ端末によって公開された前記決定された画像の優先レベルを決定することと、
を備える方法。
【請求項７】
商品情報を公開するためのデバイスであって、
少なくとも１つのプロセッサと、
前記少なくとも１つのプロセッサに結合され、前記少なくとも１つのプロセッサに命令を提供するように構成されたメモリと、
を備え、
前記少なくとも１つのプロセッサは、
ユーザ端末から、前記商品情報のページ情報を含む商品情報公開リクエストを受信することと、
前記ページ情報に基づいて、前記ページ情報に対応する商品のための画像及び第１リンクを決定することと、
前記商品のための前記画像と前記第１リンクとを関係付けることと、
前記商品の第２リンクを前記商品の前記第１リンクに関係付けることであって、前記商品の前記第２リンクの関係付けは、各ユーザ端末に対応するユーザの個人情報に基づく、ことと、
前記商品のための前記決定された画像及び前記第１リンクを公開することと、
を行うように構成される、デバイス。
【請求項８】
請求項７に記載の商品情報を公開するためのデバイスであって、
前記少なくとも１つのプロセッサは、更に、
前記商品の前記決定された第１リンクから又は前記商品の前記画像のユニバーサル・リソース・ロケータ（ＵＲＬ）から、商品の識別子（ＩＤ）情報を抽出することと、
前記抽出されたＩＤ情報に基づいて、第２のサーバから前記商品の前記商品情報を取得することと、
を行うように構成される、デバイス。
【請求項９】
請求項７に記載の商品情報を公開するためのデバイスであって、
前記少なくとも１つのプロセッサは、更に、
画像を検索することによって、第２のサーバのなかで前記商品の前記画像に一致する画像を決定することと、
各決定された画像に対応する商品情報を、前記商品の前記商品情報であると見なすことと、
を行うように構成される、デバイス。
【請求項１０】
請求項８に記載の商品情報を公開するためのデバイスであって、
前記少なくとも１つのプロセッサは、更に、
前記商品の前記決定された商品情報を、前記商品の前記画像及び前記第２リンクに関係付けることと、
前記商品情報及び前記第２リンクを公開することと、
を行うように構成される、デバイス。
【請求項１１】
商品情報を閲覧するためのデバイスであって、
少なくとも１つのプロセッサと、
前記少なくとも１つのプロセッサに結合され、前記少なくとも１つのプロセッサに命令を提供するように構成されたメモリと、
を備え、
前記少なくとも１つのプロセッサは、
第１のユーザ端末によって公開された画像に対して第２のユーザ端末によって発行された閲覧リクエストを受信することと、
前記閲覧リクエストに対応する閲覧対象画像及び前記閲覧対象画像のための第１リンクを決定することと、
前記第１リンクに基づいて、前記閲覧対象画像に対応する商品情報を決定することと、
前記決定された商品情報を、前記第２のユーザ端末に送り返すことと、
を行うように構成される、デバイス。
【請求項１２】
請求項１１に記載の商品情報を閲覧するためのデバイスであって、
前記少なくとも１つのプロセッサは、更に、
規定の期間における、前記第１のユーザ端末によって公開された画像に関する閲覧情報をカウントすることと、
前記カウントされた閲覧情報に基づいて、前記第１のユーザ端末によって公開された前記決定された画像の優先レベルを決定することと、
を行うように構成される、デバイス。
【手続補正２】
【補正対象書類名】明細書
【補正対象項目名】００８０
【補正方法】変更
【補正の内容】
【００８０】
以上の実施形態は、理解を明瞭にする目的で幾らか詳細に説明されてきたが、本発明は、提供された詳細に限定されない。本発明を実現するには、多くの代替的手法がある。開示された実施形態は、例示的であり、限定的ではない。
［適用例１］
商品情報を公開するための方法であって、
ユーザ端末から、前記商品情報のページ情報を含む商品情報公開リクエストを受信することと、
前記ページ情報に基づいて、前記ページ情報に対応する商品のための画像及び第１リンクを決定することと、
前記商品のための前記画像と前記第１リンクとを関係付けることと、
前記商品の第２リンクを前記商品の前記第１リンクに関係付けることであって、前記商品の前記第２リンクの関係付けは、各ユーザ端末に対応するユーザの個人情報に基づく、ことと、
前記商品のための前記決定された画像及び前記第１リンクを公開することと、
を備える方法。
［適用例２］
適用例１に記載の商品情報を公開するための方法であって、更に、
前記商品の前記決定された第１リンクから又は前記商品の前記画像のユニバーサル・リソース・ロケータ（ＵＲＬ）から、商品の識別子（ＩＤ）情報を抽出することと、
前記抽出されたＩＤ情報に基づいて、第２のサーバから前記商品の前記商品情報を取得することと、
を備える方法。
［適用例３］
適用例１に記載の商品情報を公開するための方法であって、更に、
画像を検索することによって、第２のサーバのなかで前記商品の前記画像に一致する画像を決定することと、
各決定された画像に対応する商品情報を、前記商品の前記商品情報であると見なすことと、
を備える方法。
［適用例４］
適用例２に記載の商品情報を公開するための方法であって、更に、
前記商品の前記決定された商品情報を、前記商品の前記画像及び前記第２リンクに関係付けることと、
前記商品情報及び前記第２リンクを公開することと、
を備える方法。
［適用例５］
商品情報を閲覧するための方法であって、
第１のユーザ端末によって公開された画像に対して第２のユーザ端末によって発行された閲覧リクエストを受信することと、
前記閲覧リクエストに対応する閲覧対象画像及び前記閲覧対象画像のための第１リンクを決定することと、
前記第１リンクに基づいて、前記閲覧対象画像に対応する商品情報を決定することと、
前記決定された商品情報を前記第２のユーザ端末に送り返すことと、
を備える方法。
［適用例６］
適用例６に記載の商品情報を閲覧するための方法であって、更に、
規定の期間における、前記第１のユーザ端末によって公開された画像に関する閲覧情報をカウントすることと、
前記カウントされた閲覧情報に基づいて、前記第１のユーザ端末によって公開された前記決定された画像の優先レベルを決定することと、
を備える方法。
［適用例７］
商品情報を公開するためのデバイスであって、
少なくとも１つのプロセッサと、
前記少なくとも１つのプロセッサに結合され、前記少なくとも１つのプロセッサに命令を提供するように構成されたメモリと、
を備え、
前記少なくとも１つのプロセッサは、
ユーザ端末から、前記商品情報のページ情報を含む商品情報公開リクエストを受信することと、
前記ページ情報に基づいて、前記ページ情報に対応する商品のための画像及び第１リンクを決定することと、
前記商品のための前記画像と前記第１リンクとを関係付けることと、
前記商品の第２リンクを前記商品の前記第１リンクに関係付けることであって、前記商品の前記第２リンクの関係付けは、各ユーザ端末に対応するユーザの個人情報に基づく、ことと、
前記商品のための前記決定された画像及び前記第１リンクを公開することと、
を行うように構成される、デバイス。
［適用例８］
適用例７に記載の商品情報を公開するためのデバイスであって、
前記少なくとも１つのプロセッサは、更に、
前記商品の前記決定された第１リンクから又は前記商品の前記画像のユニバーサル・リソース・ロケータ（ＵＲＬ）から、商品の識別子（ＩＤ）情報を抽出することと、
前記抽出されたＩＤ情報に基づいて、第２のサーバから前記商品の前記商品情報を取得することと、
を行うように構成される、デバイス。
［適用例９］
適用例７に記載の商品情報を公開するためのデバイスであって、
前記少なくとも１つのプロセッサは、更に、
画像を検索することによって、第２のサーバのなかで前記商品の前記画像に一致する画像を決定することと、
各決定された画像に対応する商品情報を、前記商品の前記商品情報であると見なすことと、
を行うように構成される、デバイス。
［適用例１０］
適用例８に記載の商品情報を公開するためのデバイスであって、
前記少なくとも１つのプロセッサは、更に、
前記商品の前記決定された商品情報を、前記商品の前記画像及び前記第２リンクに関係付けることと、
前記商品情報及び前記第２リンクを公開することと、
を行うように構成される、デバイス。
［適用例１１］
商品情報を閲覧するためのデバイスであって、
少なくとも１つのプロセッサと、
前記少なくとも１つのプロセッサに結合され、前記少なくとも１つのプロセッサに命令を提供するように構成されたメモリと、
を備え、
前記少なくとも１つのプロセッサは、
第１のユーザ端末によって公開された画像に対して第２のユーザ端末によって発行された閲覧リクエストを受信することと、
前記閲覧リクエストに対応する閲覧対象画像及び前記閲覧対象画像のための第１リンクを決定することと、
前記第１リンクに基づいて、前記閲覧対象画像に対応する商品情報を決定することと、
前記決定された商品情報を、前記第２のユーザ端末に送り返すことと、
を行うように構成される、デバイス。
［適用例１２］
適用例１１に記載の商品情報を閲覧するためのデバイスであって、
前記少なくとも１つのプロセッサは、更に、
規定の期間における、前記第１のユーザ端末によって公開された画像に関する閲覧情報をカウントすることと、
前記カウントされた閲覧情報に基づいて、前記第１のユーザ端末によって公開された前記決定された画像の優先レベルを決定することと、
を行うように構成される、デバイス。
【国際調査報告】
2016507840.tif 000008